(57)【要約】      （修正有）【課題】一度に多量の便が排泄された場合でも、着用者の肌を汚すことなく、清潔に保ち、おむつの廃棄時は便処理の負担を軽減した使い捨ておむつを提供する。【解決手段】液透過性のトップシートと、液不透過性のバックシートと、これら両シートの間に配置された吸収体とを有する使い捨ておむつにおいて、着用者の肛門が位置する領域では、トップシートには便の通過が可能な開口部が形成され、吸収体は、第１の吸収体と、第２の吸収体とから形成されており、第１の吸収体には、着用者の肛門が位置する領域に第１の吸収体を貫通して便の通過が可能な開口部が形成されており、一対の第２の吸収体は、開口部が間に位置するように、相互に離間して配置されており、バックシートには、着用者の肛門が位置する領域に、便の通過が可能な開口部が形成され、さらに、バックシートの外面には便を収容するための収容袋がバックシートに引き剥がし可能に接合されている。【選択図】図３
2006166966.tif 000002
【特許請求の範囲】
【請求項１】
液透過性のトップシートと、液不透過性のバックシートと、これら両シートの間に配置された吸収体とを有し、前身頃と、後身頃と、これら前後身頃の間に位置する股下領域とからなる使い捨ておむつにおいて、
少なくとも前記股下領域の着用者の肛門が位置する領域では、前記トップシートには便の通過が可能な開口部が形成され、
前記吸収体は、広幅の第１の吸収体と、前記第１の吸収体の２分の１未満の幅寸法を有する一対の第２の吸収体とから形成されており、前記第１の吸収体には、少なくとも着用者の肛門が位置する領域に第１の吸収体を貫通して便の通過が可能な開口部が形成されており、前記一対の第２の吸収体は、前記第１の吸収体の前記開口部が間に位置するように、相互に離間して配置されており、
前記バックシートには、少なくとも着用者の肛門が位置する領域に、便の通過が可能な開口部が形成され、さらに、前記バックシートの外面には便を収容するための収容袋が前記バックシートに引き剥がし可能に接合されていることを特徴とする使い捨ておむつ。
【請求項２】
前記吸収体は、前記第１の吸収体の上に前記第２の吸収体が配置されていることを特徴とする請求項１記載の使い捨ておむつ。
【請求項３】
前記吸収体は、前記第２の吸収体の上に前記第１の吸収体が配置されていることを特徴とする請求項１記載の使い捨ておむつ。
【請求項４】
前記第１の吸収体と第２の吸収体の間には、少なくとも前記第１の吸収体の開口部の近傍において、吸収体の長手方向に沿って、第１の吸収体と第２の吸収体を高さ方向に離間するためのスペーサー手段が配置されていることを特徴とする請求項１〜請求項３のいずれか１項に記載の使い捨ておむつ。
【請求項５】
前記第１の吸収体と第２の吸収体の間には、少なくとも前記第１の吸収体の開口部の近傍において、吸収体の幅方向に沿って、前記開口部を保持すると共に前記一対の第２の吸収体の間隔を保持するための間隔保持手段が配置されていることを特徴とする請求項１〜請求項４のいずれか１項に記載の使い捨ておむつ。
【請求項６】
前記一対の第２の吸収体には、前記第１の吸収体の前記開口部近傍の領域において、おむつの内側に位置する側縁部に切り欠き部が形成されていることを特徴とする請求項１〜請求項５のいずれか１項に記載の使い捨ておむつ。
【請求項７】
前記便を収容するための収容袋は、前記バックシートに加熱融着処理及び／又は接着剤により間欠的に接合されていることを特徴とする請求項１〜請求項６のいずれか１項に記載の使い捨ておむつ。
【請求項８】
前記便を収容するための収容袋の内側面には、多数の起毛状の繊維を有するウェブが配置されていることを特徴とする請求項１〜請求項７のいずれか１項に記載の使い捨ておむつ。
【請求項９】
前記便を収容するための収容袋の内側面には、水により分解する水解性のウェブが収容袋より分離可能に配置されていることを特徴とする請求項１〜請求項７のいずれか１項に記載の使い捨ておむつ。
【発明の詳細な説明】
【技術分野】
【０００１】
本発明は、使い捨ておむつに関するものである。さらに詳しくは、本発明は、装着性に優れ、着用者の肌に対する便の付着を防止すると共に使用後の廃棄処理が容易な使い捨ておむつに関するものである。
【背景技術】
【０００２】
使い捨ておむつは、液透過性のトップシートと、液不透過性のバックシートと、これら両シートの間に配置された吸収体とから基本的に形成されており、着用時に排泄された尿等の排泄物を液透過性のトップシートを介して吸収体に保持し、液不透過性のバックシートにより、排泄物が吸収性物品の外に漏れ出すのを防ぐ構造になっている。そしてその用途に応じて好適に使用できるように展開型、パンツ型等、様々な形態のものが提案されており、乳幼児を始めとして成人失禁者まで広く使用されている。
【０００３】
しかしながら、このような使い捨ておむつでは、尿はトップシートを容易に通過して吸収体に吸収されるが、便はトップシート上に残るため、多量の便、特に軟便が排泄された場合には、トップシート上を拡散し、着用者の股間部に付着してしまい、便の排泄に気付くのが遅れた場合には、着用者の肌がかぶれたり、さらにおむつから漏れ出して衣類を汚してしまう場合もあるため、おむつの取り替えは、母親や介護者にとって大きな負担となっていた。
【０００４】
そのため、従来から、着用者の肌への軟便の付着を防止する方法が検討されており、吸収体を上下２層の吸収体で形成し、股下領域において厚み方向へ貫通する開口部を形成し、便保持用の凹部を形成した使い捨ておむつ（特許文献１、特許文献２）、吸収体の股下領域に開口部を形成し、さらに、バックシートの外側に便を収容する袋を取付けた使い捨ておむつ（特許文献３、特許文献４、特許文献５）等が開示されている。
【特許文献１】特開平８−１９１８５７号公報
【特許文献２】実開平６−５６１４号公報
【特許文献３】特開２００３−１９０２０７号公報
【特許文献４】特開２００３−１９０２０８号公報
【特許文献５】特開２００３−２７５２４７号公報
【発明の開示】
【発明が解決しようとする課題】
【０００５】
しかしながら、股下領域において吸収体の厚み方向に便保持用の凹部を形成した使い捨ておむつの場合、便の排泄量が少量の場合には収容することができるが、一度に多量の便が排泄された場合には凹部に収容しきれなくなり、溢れ出した便が着用者の肌を汚してしまうという問題点を有している。また、バックシートの外側に便を収容する袋を取付けた使い捨ておむつの場合、多量の便を収容することが可能であるが、吸収体に着用者の体重がかかると開口部がつぶれ易いため、便が流動性の高い軟便の場合には容易に開口部から流出し、トップシート表面を拡散し、着用者の肌を汚してしまうという問題点を有しており、さらに、使用後のおむつを廃棄する場合、袋に収容された便を取出してトイレに廃棄する必要があるが、取出し難く、特に、おむつの装着時に袋に収容された便が逆流するのを防止するために、開口部が可能な限り小さく形成されている場合が多く、便の処理に手間がかかるという問題点を有している。
【０００６】
本発明は、上記従来の使い捨ておむつの有する問題点を克服し、着用時に着用者の体重が加わった場合でも軟便が流出することがなく、着用者の肌に対する便の付着を防止すると共に、使用後の処理が容易な使い捨ておむつを提供するものである。
【課題を解決するための手段】
【０００７】
上記従来の吸収性物品の有する問題点を解決するための本発明は、以下の各発明を包含する。
【０００８】
（１）液透過性のトップシートと、液不透過性のバックシートと、これら両シートの間に配置された吸収体とを有し、前身頃と、後身頃と、これら前後身頃の間に位置する股下領域とからなる使い捨ておむつにおいて、
少なくとも前記股下領域の着用者の肛門が位置する領域では、前記トップシートには便の通過が可能な開口部が形成され、
前記吸収体は、広幅の第１の吸収体と、前記第１の吸収体の２分の１未満の幅寸法を有する一対の第２の吸収体とから形成されており、前記第１の吸収体には、少なくとも着用者の肛門が位置する領域に第１の吸収体を貫通して便の通過が可能な開口部が形成されており、前記一対の第２の吸収体は、前記第１の吸収体の前記開口部が間に位置するように、相互に離間して配置されており、
前記バックシートには、少なくとも着用者の肛門が位置する領域に、便の通過が可能な開口部が形成され、さらに、前記バックシートの外面には便を収容するための収容袋が前記バックシートに引き剥がし可能に接合されていることを特徴とする使い捨ておむつ。
【０００９】
（２）前記吸収体は、前記第１の吸収体の上に前記第２の吸収体が配置されていることを特徴とする（１）項記載の使い捨ておむつ。
【００１０】
（３）前記吸収体は、前記第２の吸収体の上に前記第１の吸収体が配置されていることを特徴とする（１）項記載の使い捨ておむつ。
【００１１】
（４）前記第１の吸収体と第２の吸収体の間には、少なくとも前記第１の吸収体の開口部の近傍において、吸収体の長手方向に沿って、第１の吸収体と第２の吸収体を高さ方向に離間するためのスペーサー手段が配置されていることを特徴とする（１）項〜（３）項のいずれか１項に記載の使い捨ておむつ。
【００１２】
（５）前記第１の吸収体と第２の吸収体の間には、少なくとも前記第１の吸収体の開口部の近傍において、吸収体の幅方向に沿って、前記開口部を保持すると共に前記一対の第２の吸収体の間隔を保持するための間隔保持手段が配置されていることを特徴とする（１）項〜（４）項のいずれか１項に記載の使い捨ておむつ。
【００１３】
（６）前記一対の第２の吸収体には、前記第１の吸収体の前記開口部近傍の領域において、おむつの内側に位置する側縁部に切り欠き部が形成されていることを特徴とする（１）項〜（５）項のいずれか１項に記載の使い捨ておむつ。
【００１４】
（７）前記便を収容するための収容袋は、前記バックシートに加熱融着処理及び／又は接着剤により間欠的に接合されていることを特徴とする（１）項〜（６）項のいずれか１項に記載の使い捨ておむつ。
【００１５】
（８）前記便を収容するための収容袋の内側面には、多数の起毛状の繊維を有するウェブが配置されていることを特徴とする（１）項〜（７）項のいずれか１項に記載の使い捨ておむつ。
【００１６】
（９）前記便を収容するための収容袋の内側面には、水により分解する水解性のウェブが収容袋より分離可能に配置されていることを特徴とする（１）項〜（７）項のいずれか１項に記載の使い捨ておむつ。
【００１７】
（１０）前記後身頃の両側縁部にファスニングテープを取り付けたテープ型の使い捨ておむつである（１）項〜（９）項のいずれか１項に記載の使い捨ておむつ。
【００１８】
（１１）前記前後身頃の相対する両側縁部を接合したパンツ型の使い捨ておむつである（１）項〜（９）項のいずれか１項に記載の使い捨ておむつ。
【発明の効果】
【００１９】
本発明の使い捨ておむつは、その吸収体が、少なくとも着用者の肛門の位置に開口部が形成された第１の吸収体と、第１の吸収体の開口部が間に位置するように、相互に離間して配置された一対の第２の吸収体からなり、トップシートとバックシートには、少なくとも着用者の肛門の位置に開口部が形成され、さらに、バックシートの外面には便を収容する収容袋がバックシートから引き剥がし可能に接合されている。
【００２０】
このような構成の本発明の使い捨ておむつは、一度に多量の便が排泄された場合でも、便は開口部を通過してバックシートの外面に取付けた収容袋に収容されるため、着用者の肌を汚すことがなく、清潔に保つことができ、さらに、おむつを廃棄する場合には、収容袋を引き剥がして便をトイレに容易に廃棄することができるため、おむつを廃棄する際の負担を軽減することができる。
【００２１】
また、第１の吸収体と第２の吸収体の間にスペーサー手段を配置して、第１の吸収体と第２の吸収体の間に空間が形成・維持することにより、着用者が座った状態、すなわち臀部が吸収体に密着した状態で排便しても、便の通過、収容を容易に行うことができる構造とすることができる。さらに、第２の吸収体のおむつの内側の側縁部に切り欠き部を形成することによって、着用中に股下領域においておむつが幅方向に圧縮され、一対の第２の吸収体同士が接触しても開口部を確保できる構造とすることができる。
【発明を実施するための最良の形態】
【００２２】
以下、図面を参照して、本発明の使い捨ておむつを詳細に説明するが、勿論、本発明はこれらによって何等制限されるものではない。
【００２３】
図１は、本発明の使い捨ておむつをトップシート側から見た場合の一部切り欠き平面展開図であり、図２は、本発明の使い捨ておむつをバックシート側から見た場合の平面展開図であり、図３は、図１に示す使い捨ておむつをＸ−Ｘ線に沿って切断した状態を示す断面図である。
【００２４】
図１、図２及び図３において、使い捨ておむつ１は、液透過性のトップシート２と、液不透過性のバックシート３と、これら両シートの間に配置された第１の吸収体４と第２の吸収体５からなる吸収体とを有し、前身頃６と、後身頃７と、これら前後身頃の間に位置する股下領域８からなり、股下領域８の着用者の肛門が位置する領域では、トップシート２からバックシート３を貫通して便の通過が可能な開口部９が形成されており、さらに、バックシート３の外面には、開口部９を覆って、便を収容するための収容袋１０が取付けられており、便が排泄された場合には、開口部９を通過して収容袋１０に達するようになっている。
【００２５】
また、本発明の場合、吸収体は、広幅の第１の吸収体４と、第１の吸収体４の２分の１未満の幅寸法を有する一対の第２の吸収体５からなり、第１の吸収体４には厚さ方向に貫通して前記開口部９が形成されており、一対の第２の吸収体５は、第１の吸収体４の開口部９が間に位置するように、相互に離間して第１の吸収体４上に配置されている。
さらに、便の収容袋１０は、その周縁部が、間欠的に形成された接合部１１を介してバックシート３に引き剥がし可能に接合されており、さらに、その両端部には、収容袋１０の引き剥がしを容易にするための摘み部１２が形成されている。
【００２６】
また、使い捨ておむつ１には、股下領域８において長手方向両側縁に沿って脚周り弾性部材１３が配置され、後身頃７の端部領域にはウエスト周り弾性部材１４が配置され、前身頃６から後身頃７にかけての長手方向両側縁には一対の立体ギャザー１７が配置されており、さらに、後身頃７の両側縁にはおむつを着用者に装着して保持するためのファスニングテープ１５が取付けられ、前身頃６のバックシート３面にはファスニングテープ１５を止着するためのフロントシート１６が配置されている。
【００２７】
なお、本実施例では、吸収体の構成として第１の吸収体４の上に第２の吸収体５を配置した例を示したが、第２の吸収体５の上に第１の吸収体４を配置した構成であっても良く、特に限定されるものではない。
【００２８】
また、本発明の場合、収容袋の内側面に多数の起毛状の繊維を有するウェブを配置することが好ましく、このような起毛状の繊維を有するウェブを配置することにより、袋内に収容された軟便の移動を抑制することができるため、おむつ着用時に軟便が開口部から逆流したり、接合部から滲み出したりするのを防止することができる。
さらに、本発明の場合、収容袋の内側面に多量の水により分解する水解性のウェブを収納袋面から引き剥がし可能に配置しても良く、このような水解性のウェブを配置することにより、袋内に収容された便を水解性のウェブと一緒に引き剥がして、そのままトイレに流して処理することができる。
【００２９】
また、収容袋１０の周縁部に間欠的に形成される接合部１１は、ヒートシール処理、熱エンボス処理、超音波処理等の加熱融着処理により形成しても良く、ホットメルト接着剤等の接着剤により形成しても良く、あるいは両者を組合せて形成しても良い。さらに、接合部１１を形成する接合パターンも、矩形状、円形、楕円形、三角形等各種の形状に形成することが可能である。
【００３０】
図４は、本発明の使い捨ておむつをトップシート側から見た場合の一部切り欠き平面展開図であり、図１とは異なる例を示しており、図５は、図４に示す使い捨ておむつをＹ−Ｙ線に沿って切断した状態を示す断面図である。なお、図４及び図５において、図１及び図３と同一部分には同じ符号が付してあり、重複する部分の説明は省略する。
図４及び図５において、開口部９の近傍の第１の吸収体４と第２の吸収体５の間には、吸収体の長手方向に沿って、第１の吸収体４と第２の吸収体５を高さ方向に離間するための一対のスペーサー手段１８が配置されている。
このようにスペーサー手段１８を配置することにより、着用者が座った状態、すなわち臀部が吸収体に密着した状態で便を排泄しても、第１の吸収体４と第２の吸収体５の間に空間が形成、維持されるため、便の通過、収容を容易に行うことができる。
【００３１】
図６は、本発明の使い捨ておむつをトップシート側から見た場合の一部切り欠き平面展開図であり、図１及び図４とは異なる例を示している。なお、図６において、図１及び図４と同一部分には同じ符号が付してあり、重複する部分の説明は省略する。
図６において、開口部９の近傍の第１の吸収体４と第２の吸収体５の間には、吸収体の幅方向に沿って、一対の第２の吸収体５の間隔を保持するための一対の間隔保持手段１９が配置されている。
このように間隔保持手段１９を配置することにより、おむつ着用中に股下領域においておむつが幅方向に圧縮されても、一対の第２の吸収体５同士が接触することがなく、開口部を確保することができる。
【００３２】
図７は、本発明の使い捨ておむつをトップシート側から見た場合の一部切り欠き平面展開図であり、図１、図４及び図６とは異なる例を示している。なお、図７において、図１、図４及び図６と同一部分には同じ符号が付してあり、重複する部分の説明は省略する。
図７において、開口部９の近傍の領域において、一対の第２の吸収体５には、おむつ１の内側に位置する側縁部に切り欠き部２０が形成されている。
このように切り欠き部２０を形成することにより、おむつ着用中に股下領域においておむつが幅方向に圧縮され、一対の第２の吸収体５同士が接触しても、切り欠き部２０により開口が形成されるため、便の通過、収容が可能となる。
【００３３】
なお、上記の実施例では、使い捨ておむつとして後身頃の両側縁部にファスニングテープを取付けた、いわゆるテープ型の使い捨ておむつについて説明したが、本発明はこれに限定されるものではなく、前後身頃の相対する両側縁を接合してパンツ型に形成した、パンツ型の使い捨ておむつであっても同様の効果を得ることができる。
【００３４】
以下、本発明において使用される材料について説明するが、本発明は、これらによって何等制限されるものではない。
【００３５】
本発明において、液透過性のトップシートとしては、ポリエチレン、ポリプロピレン、ポリエステル、その他の熱可塑性樹脂を原料とした合成繊維等からなる不織布に親水化処理を施したものが用いられる。
【００３６】
本発明において、液不透過性、かつ、通気性のバックシートとしては、微孔を設けたポリエチレンシート、あるいは熱可塑性樹脂にフィラーを加えて延伸したシートのような透湿性のある液体不透過性のシートが用いられる。このようなシートを用いると、ムレが改善されるため快適な着用感が得られる。さらに、このようなシートの外側に不織布からなるカバーシートを貼り合わせた積層構造のシートを用いることもできる。
【００３７】
本発明において、第１の吸収体、第２の吸収体等の吸収体としては、通常の使いすておむつのような吸収性物品に使用されるものであればいずれも使用することができる。すなわち、綿状パルプと高吸収性ポリマー（ＳＡＰ）を併用したもの、さらに熱融着繊維を加えたもの等を使用することができ、全体を親水性シートで包まれているものが好ましい。その他、親水性シートの片面にＳＡＰの層を設けたもの、２枚の親水性シートの間にＳＡＰを挟持したもの等のシート状の吸収体も使用することができる。また、吸収体の形状は、砂時計型でも矩形でも良い。
親水性シートとしては、ポリエチレン、ポリプロピレン、ポリエステル、その他の熱可塑性樹脂を原料とした合成繊維から成る不織布を親水化処理したものが有利に用いられ、その他にも親水性の布帛、ティシュ等を使用することも可能である。
【００３８】
本発明において、スペーサー手段としては、着用者の体重で圧縮されたときに着用者に違和感や痛みを与えないように、クッション性があり、且つ充分な空間を確保できる程度の耐圧縮性を有するものであればいずれも使用することができる。例えばウレタン樹脂、ポリスチレン樹脂などを発泡させた成型体や、天然繊維や合成繊維からなる連続繊維、短繊維などを嵩高な構造に集積した繊維集合体などが好ましい。また、ティシュ、キッチンタオル等の嵩高なセルロース繊維からなる紙を重ね合せて使用することもできる。さらに、スペーサー手段には吸水性を付与してもよく、ＳＡＰを混合してもよい。
【００３９】
本発明において、股下部での吸収体のよれによって、開口部が閉塞したり、狭くなることを防止するために、間隔保持手段を具備させてもよい。間隔保持手段としては物理的に吸収体間が接近することを妨げることができる構造や素材を任意に選択することができるが、例えば突っかえ棒のような構造によって間隔保持手段とした場合、その素材には前記のスペーサー手段と同じ素材を用いても良い。また、吸収体の一部が間隔保持手段となるべく突起を具備しており、並列配置された吸収体と突起で接触することによって間隔を保つように設計することもできる。
【００４０】
本発明において、便を収容するための収容袋としては、液不透過性のプラスチックフィルム、液不透過性の不織布、あるいは、液不透過性のプラスチックフィルムに不織布を重ね合わせた複合シート等を用いることができる。さらに、収容袋の内側面に多数の起毛状の繊維を有するウェブを配置することが好ましく、このような起毛状の繊維を有するウェブを配置することにより、袋内に収容された軟便の移動を抑制することができるため、おむつ着用時に軟便が開口部から逆流したり、接合部から滲み出したりするのを防止することができる。また、収納袋の内側面に多量の水により分解する水解性のウェブを収納袋面から引き剥がし可能に配置しても良く、このような水解性のウェブを配置することにより、袋内に収容された便を水解性のウェブと一緒に引き剥がして、そのままトイレに流して処理することができる。
【００４１】
起毛状の繊維を有するウェブとしては、表面から起立する多数の繊維を配置した不織布、あるいは表面から起立する多数のループ状の繊維を配置した不織布等を用いることができる。
また、水解性のウェブとしては、レーヨン等の再生セルロース繊維からなる不織布とパルプ繊維からなる紙を積層したものをジェット水流で交絡処理したウェブ、長繊維不織布とパルプ繊維からなる紙を積層したものをジェット水流で交絡処理したウェブ等を有利に使用することができ、その他にもパルプ繊維と再生セルロース繊維を混合抄紙してえられる紙を水溶性接着剤で処理して得られるウェブを使用することもできる。
【００４２】
本発明において、使い捨ておむつには、その長手方向に沿って一対の立体ギャザーを配置することが好ましい。立体ギャザーは、各種の素材により形成することができる。例えば、ポリエチレン、ポリプロピレン、ポリエステル、その他の熱可塑性樹脂を原料とした合成繊維からなる通気性を有する撥水性の不織布を用いて形成することができる。あるいは、サイドフラップを形成する不織布として広幅のものを用い、サイドフラップを形成するとともにおむつの内側へ延出する部分で立体ギャザーを形成しても良い。さらに、トップシートとして広幅のものを用い、トップシートの吸収体の両側縁から延出する部分で立体ギャザーを形成しても良い。
【００４３】
また、立体ギャザーの自由部の側縁部には伸縮弾性部材が配置されている。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で自由部の側縁部に配置し、ホットメルト接着剤などにより接着固定される。
【００４４】
本発明において、使い捨ておむつには、脚周り開口部及びウエスト周り開口部に沿って伸縮弾性部材を配置することができる。伸縮弾性部材としては、天然系、合成系のウレタン糸、糸ゴム、平ゴム等の通常の使いすておむつに使用される伸縮弾性部材をそのまま使用することができ、これらの伸縮弾性部材を伸長状態で配置し、ホットメルト接着剤などにより接着固定される。
【００４５】
本発明において、ファスニングテープは、各種のフィルムまたは不織布シートを用いることができ、これらの材料を単独で、あるいは数種類の材料を積層して形成され、その一方の端部領域がおむつの後身頃の両側縁部に接着固定され、もう一方の端部領域には機械的ファスナーのフック材が取付けられる。また、フック材を取付けた部分の外側には、摘持部を有していることが好ましい。
【００４６】
本発明において、ファスニングテープを止着可能なフロントシートとしては、ポリエチレン、ポリプロピレン、ポリエステル、その他の熱溶融性樹脂を原料とした合成繊維を含有する不織布により形成することができる。上記不織布は、上記原料合成繊維の単体からなる繊維、又は２種類の合成樹脂原料を使用した芯鞘繊維を１種類又は複数混合したものから構成される。また、不織布は、熱溶融性合成繊維と他の天然繊維又は合成繊維の混合原料から製造されるものであってもよい。
【産業上の利用可能性】
【００４７】
本発明の使い捨ておむつは、その吸収体が、少なくとも着用者の肛門の位置に開口部が形成された第１の吸収体と、第１の吸収体の開口部が間に位置するように、相互に離間して配置された一対の第２の吸収体からなり、トップシートとバックシートには、少なくとも着用者の肛門の位置に開口部が形成され、さらに、バックシートの外面には便を収容する収容袋がバックシートから引き剥がし可能に接合されている。このような構成の本発明の使い捨ておむつは、一度に多量の便が排泄された場合でも、便は開口部を通過してバックシートの外面に取付けた収容袋に収容されるため、着用者の肌を汚すことがなく、清潔に保つことができ、さらに、おむつを廃棄する場合には、収容袋を引き剥がして便をトイレに容易に廃棄することができるため、おむつを廃棄する際の負担を大幅に軽減することができるものであり、乳幼児を始めとして成人失禁者用の使い捨ておむつとして有用である。
【図面の簡単な説明】
【００４８】
【図１】本発明の使い捨ておむつをトップシート側から見た状態を示す一部切り欠き    平面展開図である。
【図２】本発明の使い捨ておむつをバックシート側から見た状態を示す平面展開図で    ある。
【図３】図１に示す使い捨ておむつをＸ−Ｘ線に沿って切断した状態を示す断面図で    ある。
【図４】本発明の使い捨ておむつをトップシート側から見た状態の他の例を示す一部    切り欠き平面展開図である。
【図５】図４に示す使い捨ておむつをＹ−Ｙ線に沿って切断した状態を示す断面図で    ある。
【図６】本発明の使い捨ておむつをトップシート側から見た状態の他の例を示す一部    切り欠き平面展開図である。
【図７】本発明の使い捨ておむつをトップシート側から見た状態の他の例を示す一部    切り欠き平面展開図である。
【符号の説明】
【００４９】
１：使い捨ておむつ
２：液透過性のトップシート
３：液不透過性のバックシート
４：第１の吸収体
５：第２の吸収体
６：前身頃
７：後身頃
８：股下領域
９：開口部
１０：収容袋
１１：接合部
１２：摘み部
１３：脚周り弾性部材
１４：ウエスト周り弾性部材
１５：ファスニングテープ
１６：フロントシート
１７：立体ギャザー
１８：スペーサー手段
１９：間隔保持手段
２０：切り欠き部
【図１】
2006166966.tif 000003
【図２】
2006166966.tif 000004
【図３】
2006166966.tif 000005
【図４】
2006166966.tif 000006
【図５】
2006166966.tif 000007
【図６】
2006166966.tif 000008
【図７】
2006166966.tif 000009